(57)【特許請求の範囲】
【請求項１】
一対の面板と、該面板を繋ぐ底板と、面板に連設された内外側板と、前記底板に対向する蓋板とを備え、前記面板のいずれか一方に破断誘導部が設けられると共に、該面板の底板側一辺の両隅から前記破断誘導部にまで延びた一対の破断用切目が刻設されてなる包装用紙箱において、
前記破断用切目は、前記蓋板が連設されていない面板に設けられると共に、側板に向かう屈曲切目部を有して、該一対の破断用切目の破断により面板から分離される分離領域に、側方に向かって突出する突部が形成され、
前記蓋板が連設されていない面板の蓋板側一辺の両隅の少なくとも一方から前記破断誘導部にまで延びた破断用切目が刻設されてなり、
各破断用切目を破断することで前記面板を複数に分離し、複数に分離された前記面板が前記蓋板及び前記側板にそれぞれ連設された状態となることを特徴とする包装用紙箱。
【発明の詳細な説明】
【技術分野】
【０００１】
この発明は、包装用紙箱、例えばサークラインと呼ばれている環状蛍光灯の包装に好適な包装用紙箱に関する。
【背景技術】
【０００２】
この種の包装用紙箱に関しては、以前から、主として被包装物取り出し後の解体の行いやすさ及び解体後のコンパクト性を考慮した種々の提案がなされている（例えば、特許文献１。
【０００３】
この特許文献１の包装用紙箱（Ｂ）は、図７に示すように、一対の面板（９１）（１０１）と、該両面板（９１）（１０１）を繋ぐ底板（９２）と、面板（９１）（１０１）に連設された内外側板（９３）（９３）（１０３）（１０３）と、前記底板（９２）に対向する蓋板（１０４）とを備え、蓋板（１０４）に差し込み片（１０６）が連設される一方、内側板（９３）（９３）の両端に内フラップ（９５）（９５）（９５）（９５）が連設されているものである。
【０００４】
そして、前記蓋板（９４）が連設されている面板（１０１）の略々中央に破断誘導部としての指入れ穴（１０７）が設けられると共に、該面板（１０１）の底板側一辺の両隅から前記指入れ穴に向かって一対の破断用切目（１０８）（１０８）が刻設されている。
【０００５】
前記一対の破断用切目（１０８）（１０８）に囲まれた領域（１０９）を面板（１０１）から分離することにより、該分離領域（１０９）及び底板（９２）を対面側の面板（９１）と面一となるようにして、全体を扁平な折畳状態にできるというものである。
【特許文献１】特開２００２−２１１５４８号公報（図２）
【発明の開示】
【発明が解決しようとする課題】
【０００６】
しかしながら、上記のような包装用紙箱（Ｂ）は、いったん分離領域（１０９）を面板（１０１）から分離してしまうと、元の状態あるいはそれに近い状態に復帰させることが困難であり、分離領域（１０９）は、単に解体時にのみ用いられるものにすぎなかった。
【０００７】
また、分離領域（１０９）を面板（１０１）から分離して、扁平に折り畳めるとはいうものの、その扁平折り畳み状態においては、面板（９１）（１０１）どうしが重なり合い、かつ折り癖のついた内外側板（９３）（９３）（１０３）（１０３）が、紙の復元反発力により起立しようとするために、いささか厚みのあるものであった。
【０００８】
この発明は、このような事情に鑑みてなされたもので、面板の分離領域を面板から分離した後に元の位置に復帰させた際に、面板とほぼ一体化できて再封緘に近い状態とすることのできる包装用紙箱を提供することを第１の目的とし、解体後の状態をより一層平板なものとできる包装用紙箱を提供することを第２の目的とする。
【課題を解決するための手段】
【０００９】
上記目的を達成するために、本発明は、下記［１］に記載の構成を有する。
［１］一対の面板と、該面板を繋ぐ底板と、面板に連設された内外側板と、前記底板に対向する蓋板とを備え、前記面板のいずれか一方に破断誘導部が設けられると共に、該面板の底板側一辺の両隅から前記破断誘導部にまで延びた一対の破断用切目が刻設されてなる包装用紙箱において、
前記破断用切目は、前記蓋板が連設されていない面板に設けられると共に、側板に向かう屈曲切目部を有して、該一対の破断用切目の破断により面板から分離される分離領域に、側方に向かって突出する突部が形成され、
前記蓋板が連設されていない面板の蓋板側一辺の両隅の少なくとも一方から前記破断誘導部にまで延びた破断用切目が刻設されてなり、
各破断用切目を破断することで前記面板を複数に分離し、複数に分離された前記面板が前記蓋板及び前記側板にそれぞれ連設された状態となることを特徴とする包装用紙箱。
【発明の効果】
【００１１】
前項［１］の発明によれば、一対の面板と、該面板を繋ぐ底板と、面板に連設された内外側板と、前記底板に対向する蓋板とを備え、前記面板のいずれか一方に破断誘導部が設けられると共に、該面板の底板側一辺の両隅から前記指入れ穴にまで延びた一対の破断用切目が刻設されてなる包装用紙箱において、前記破断用切目は、前記蓋板が連設されていない面板に設けられると共に、側板に向かう屈曲切目部を有して、該一対の破断用切目の破断により面板から分離される分離領域に、側方に向かって突出する突部が形成されるものとなされているので、分離領域を面板から分離した後、前記突部を面板の下方に潜りこませることができ、再封緘に近い状態を得ることができる。
【００１２】
また、前記蓋板を有しない面板の蓋板側の一辺の両隅の少なくとも一方から前記指入れ穴に向かって一対の破断用切目が刻設されているので、一対の破断用切目に囲まれた分離領域を面板から切り離してしまうか、あるいは片側の破断用切目のみを破断させることにより、内外側面板の重合部分を除いて全体を一枚物とすることができる。
【発明を実施するための最良の形態】
【００１３】
以下、この発明に係る包装用紙箱の実施形態について、図面を参照して具体的に説明する。
【００１４】
図１は、同包装用紙箱（Ａ）の全体斜視図、図２は、開封時の全体斜視図、図３は、同展開状態の表側の平面図、図４は、再封緘時の全体斜視図、図５は、図４のＶ−Ｖ線断面図、図６は、解体状態の平面図である。
【００１５】
図３に示すように、一対の面板（１）（１１）が底板（２）を介して連設されている。（２１）（２２）は、その間の折目である。一方の面板（１）には、一つのコーナーから少し離れた位置に収納物確認用透孔（７）が設けられている。以後、この面板（１）を第１面板と呼び、他方の面板（１１）を第２面板と呼ぶことにする。
【００１６】
この第１面板（１）の左右には折目（２３）（２３）を介して内側板（３）（３）が連設される一方、遊端側に折目（２４）を介して蓋板（４）が連設され、さらにこの蓋板（４）に折目（２５）を介して差し込み片（６）が連設されている。
【００１７】
前記内側板（３）（３）の蓋体側の端縁には、折目（２６）（２６）を介して内フラップ（５）（５）が連設されている。
【００１８】
第２面板（１１）の左右には、前記内側板（３）（３）の外側に位置される外側板（１３）（１３）が折目（２７）（２７）を介して連設され、該外側板（１３）（１３）の底板側端縁に折目（２８）（２８）を介して内フラップ（５）（５）が連設されている。
【００１９】
この第２面板（１１）の中央には、円形状の破断用切目（１５）が設けられ、該破断用切目（１５）を破断することにより、破断誘導部としての指入れ孔（１８）が出現するものとなされている。ここに言う破断用切目とは、短い切目が断続的に連続しているいわゆる破断用ジッパーのことである。
【００２０】
また、この第２面板（１１）に、底板側の両隅部から前記指入れ孔用破断用切目（１５）にまで延びた左右一対の破断用切目（１６）（１６）が設けられると共に、前記指入れ孔用破断用切目（１５）に近い中間部に、側板方向に向かう屈曲折目部（１６ａ）（１６ａ）が設けられている。
、この屈曲折目部（１６ａ）（１６ａ）を含む一対の破断用切目（１６）（１６）に囲まれた領域（３０）は、第２面板（１１）から分離することができる領域であって、分離することにより、この分離領域（３０）の左右に、側方に向かって突出する突部（３１）（３１）が形成されることになる。この分離領域（３０）を第１分離領域と呼ぶ。
【００２１】
さらに、この第２面板（１１）の蓋板側の一辺の両隅から前記指入れ穴にまで延びた一対の破断用切目（１７）（１７）が刻設されている。この破断用切目（１７）（１７）は、蓋板側一辺の両隅から指入れ穴にまで延びた先の破断用切目（１６）（１６）と対称をなすものである。
【００２２】
従って、この破断用切目（１７）（１７）も、先の破断用切目（１６）（１６）と同様に、前記指入れ孔用破断用切目（１５）に近い中間部に、側板方向に向かう屈曲折目部（１７ａ）（１７ａ）が設けられている。
、この屈曲折目部（１７ａ）（１７ａ）を含む一対の破断用切目（１７）（１７）に囲まれた領域（３５）は、第２面板（１１）から分離することができる領域であって、分離することにより、この分離領域（３５）の左右に、側方に向かって突出する突部（３２）（３２）が形成されることになる。この分離領域（３５）を第２分離領域と呼ぶ。
【００２３】
而して、この実施形態の包装用紙箱（Ａ）は、所定部位の折り曲げと、内外両側板（３）（３）（１３）（１３）の接合を経て、箱形態に組み立てられものであり、図１は、その組立後であって蓋体（４）の差し込み片（６）が紙箱内に差し込まれた状態を示すものである。
【００２４】
この状態は、包装用紙箱（Ａ）の中に、環状蛍光灯（Ｓ）が収納された封緘状態でもある。そして、実際には、環状蛍光灯（Ｓ）の収納後に、包装用紙箱（Ａ）にシュリンク包装等による外装が施され、外装表面に、開封順序として先に第１分離領域（３０）を分離させるべきである旨の案内文字が表示されることになる（図示省略）。
【００２５】
而して、このような包装状態から開封するには、蓋板（４）の差し込み片（６）を引き出して、蓋板（４）による閉蓋状態を解除することもひとつの方法であるが、第１分離領域（３０）を第２面板（１１）から分離させることによって開口を大きくして、収納物を取り出しやすくすることができる。
【００２６】
そして、例えば、環状蛍光灯（Ｓ）が大小２本入りであっていずれか一方のみを使用して、残った方を包装用紙箱（Ａ）ごと保管しておきたい場合や、一旦取り出した環状蛍光灯（Ｓ）を再度包装用紙箱（Ａ）に戻したい場合には、図４に示すように、第１分離領域（３０）両側に突出している突部（３１）（３１）を第２面板（１１）の下方に潜り込ませるようにすれば良い。
【００２７】
第１分離領域（３０）をその元の位置へ復帰させるべく図２に矢印で示す方向に折り曲げる際に、その先端部を紙箱内に入れた後、操作していた力を抜いてやると、紙の復元反発力が作用して、第１分離領域（３０）両側の突部（３１）（３１）表面が、第２面板（１１）の内面に軽く圧接する状態となる。
【００２８】
この圧接状態のもとでは、第１分離領域（３０）は、開封状態に戻ることがないので、包装用紙箱（Ａ）の再封緘を行え、包装用紙箱（Ａ）を環状蛍光灯（Ｓ）の保管に耐えうるものとすることができる。
【００２９】
この包装用紙箱（Ａ）から環状蛍光灯（Ｓ）を取り出して解体する際に、第１分離領域（３０）を従来の包装用紙箱（Ｂ）と同様に、図６に示すように、第１面板（１）と面一とすることができることはもとより、第２分離領域（３５）を、その片側だけを第２面板（１１）の一方の片割れ部（１１ａ）から分離して、他方の片割れ部（１１ｂ）にのみ繋がった状態とすることができる。
【００３０】
この状態の下では、内外側板（３）（３）（１３）（１３）が接合され２枚重ねのままであるが、両側板には、紙の復元反発力が作用することがないので、全体として一枚物に近い平らな解体物が得られる。
【００３１】
なお、上記実施形態において、破断誘導部として指入れ孔が面板中央に位置しているが、指入れ孔の位置は面板中央に限定されるものではないし、破断誘導部は、このような孔に限られず、破断用切目の破断開始部となって破断を行やすくするものすべてを含むものである。
【００３２】
また、第２分離領域（３５）を面板から完全に分離させてしまっても構わないが、包装用紙箱（Ａ）から完全に分離してしまうと、単なるゴミになってしまうので、できるだけ第２面板の片割れ部（１１ａ）（１１ｂ）のいずれか一方に繋がったままとしておくことが好ましい。
【００３３】
その意味では、第２分離領域（３５）の破断用切目（１７）（１７）は、片側だけでも構わないし、片割れ部（１１ａ）（１１ｂ）を各々反対方向に展開できるように、第２分離領域（３５）をなくして、片割れ部（１１ａ）（１１ｂ）の間に破断用切目を設けても良い。
【図面の簡単な説明】
【００３４】
【図１】この発明の一実施形態に係る包装用紙箱の斜視図である。
【図２】同包装用紙箱の開封状態の斜視図である。
【図３】同包装用紙箱の展開状態の外面側からの平面図である。
【図４】同包装用紙箱の再封緘状態の斜視図である。
【図５】図４のＶ−Ｖ線断面図である。
【図６】同包装用紙箱の解体状態の内面側からの平面図である。
【図７】従来の包装用紙箱を示し、図（イ）は展開状態の平面図、図（ロ）は同斜視図である。
【符号の説明】
【００３５】
１・・・・・・・第１面板
２・・・・・・・底板
３・・・・・・・内側板
４・・・・・・・蓋板
１１・・・・・・第２面板
１３・・・・・・外側板
１６・・・・・・破断用切目
１６ａ、１６ｂ・屈曲折目部
３０・・・・・・第１分離領域
３１・・・・・・突部
Ａ・・・・・・・包装用紙箱
【図１】
0004819863.tif 000002
【図２】
0004819863.tif 000003
【図３】
0004819863.tif 000004
【図４】
0004819863.tif 000005
【図５】
0004819863.tif 000006
【図６】
0004819863.tif 000007
【図７】
0004819863.tif 000008